(57)【要約】【課題】廃棄によって生じる環境への影響を低減可能な砥石を提供すること。【解決手段】木製の台金２と、台金２の表面に設けられた砥粒層４と、台金２の表面を砥粒層４とともに被覆するコーティング部８とを備え、コーティング部８は、ポリ乳酸樹脂等の生分解性樹脂によって成る。【選択図】図２
2006281410.tif 000002
【特許請求の範囲】
【請求項１】
木製の台金と、
前記台金の表面に設けられた砥粒層と
を備える、ことを特徴とする砥石。
【請求項２】
前記台金表面を被覆するコーティング部を更に備える、ことを特徴とする請求項１に記載の砥石。
【請求項３】
前記コーティング部は生分解性樹脂からなる、ことを特徴とする請求項２に記載の砥石。
【請求項４】
前記生分解性樹脂はポリ乳酸樹脂である、ことを特徴とする請求項３に記載の砥石。
【請求項５】
前記台金は、複数の板部材が積層されてなる、ことを特徴とする請求項１〜４のうち何れか一項に記載の砥石。
【請求項６】
前記台金は、圧縮木材から構成されている、ことを特徴とする請求項１〜５のうち何れか一項に記載の砥石。
【発明の詳細な説明】
【技術分野】
【０００１】
本発明は、砥石に関する。
【背景技術】
【０００２】
従来の超砥粒砥石としては、下記特許文献１に記載されているような、スチールやアルミニウム等による金属製の台金を用いた砥石や、下記特許文献２に記載されているような、熱硬化性樹脂等による樹脂製の台金を用いた砥石等がある。
【特許文献１】特開昭５０−４７２８９号公報
【特許文献２】特開平１２−６０２９号公報
【発明の開示】
【発明が解決しようとする課題】
【０００３】
ところで、消耗等により使用に適さなくなった砥石では、金属製や樹脂製の台金が再利用されずに埋立処分により土中等に廃棄される場合がある。土中に廃棄された台金は、素材が金属や樹脂等のため廃棄後も生分解されずに土中に蓄積されていく。このため、台金の廃棄により生じる環境への影響が懸念されている。
【０００４】
そこで、本発明の課題は、廃棄によって生じる環境への影響を低減可能な砥石を提供することである。
【課題を解決するための手段】
【０００５】
本発明の砥石は、木製の台金と、台金の表面に設けられた砥粒層とを備える、ことを特徴とする。本発明によれば、砥石が消耗等により使用に適さなくなった際に台金が埋立処分により土中等に廃棄された場合、台金は木製であるため土中で生分解される。故に、台金の廃棄により生じる環境への影響が低減できる。
【０００６】
更に、本発明では、台金表面を被覆するコーティング部を更に備えるのが好ましい。この場合、コーティング部によって木製の台金内部へのクーラント（加工時に用いる冷却液）の染み込みが回避できる。このため、木製の台金の耐久性向上が図られる。
【０００７】
更に、本発明では、コーティング部は生分解性樹脂からなるのが好ましく、また、生分解性樹脂はポリ乳酸樹脂であるのが好ましい。この場合、コーティング部は、ポリ乳酸樹脂等の生分解性樹脂によって成るため、土中で微生物等により生分解される。故に、台金とコーティング部とを土中等に廃棄しても、環境への影響を低減できる。
【０００８】
更に、本発明では、台金は、複数の木製の板部材が積層されてなるのが好ましい。この場合、台金が部分的に腐食・破損等した場合、この腐食・破損箇所を含む板部材を新たな板部材に換えることによって、この破損箇所を容易に補修できる。また、台金は複数の板部材が積層されたものであるため、一枚板によって台金を作製する場合に比べて製造コストを低減できる。
【０００９】
更に、本発明では、台金は、圧縮木材から構成されているのが好ましい。圧縮木材は非圧縮木材に比べて木材の強度及び耐水性が高い。このため、台金の強度や耐水性の向上が図られる。
【発明の効果】
【００１０】
本発明によれば、廃棄によって生じる環境への影響を低減可能な砥石を提供できる。
【発明を実施するための最良の形態】
【００１１】
以下、図面を参照して、本発明を適用した実施形態ついて説明する。なお、以下の図面の説明においては、同一要素には同一符号を付し、重複説明を省略する。図１は、実施形態に係る回転砥石の外観を表す斜視図である。図２は、図１に示すＩ−Ｉ線に沿ってとられた回転砥石の断面図である。
【００１２】
図１に示すように、回転砥石１は、円盤型の台金２を有している。台金２は、中心軸Ａに垂直な二つの端面を有する。これら二つの端面のうちの一方の端面の中央部には略円柱状の凹部３が設けられている。さらに、この端面には凹部３を取り囲むように砥粒層４が設けられている。この砥粒層４は、ダイヤモンドや立方晶窒化ホウ素等の超砥粒を含んでいる。これらの超砥粒は、レジンボンド、メタルボンド、ビトリファイドボンドにより保持されている。砥粒層４は、超砥粒を含んだ砥粒チップが例えば接着剤を用いて台金２の端面（凹部３が設けられる端面）に接合されたものである。
【００１３】
また、図２に示すように、台金２は、複数の板部材５を積層して構成されている。この板部材５に圧縮木材を用いることが好ましい。圧縮木材とは、プレス等を用いて木材を圧密化させた後、水分と熱の影響で寸法が変化することを防ぐために、加熱処理、水蒸気処理等の処理が施されたものをいう。このようにして、木材の強度、耐水性を向上させることができる。台金２には、中心軸Ａを中心とし、台金２が有する二つの端面のうち砥粒層４が設けられている端面とは異なるもう一方の端面から凹部３の底面に連通する軸穴６が設けられている。軸穴６内には例えばアルミニウム等の金属管６ａが嵌め込まれおり、この金属管６ａ内には図示しない駆動装置の回転軸部材（モータ軸等）が挿入される。さらに、台金２が有する二つの端面のうち軸穴６が設けられている端面には、複数のねじ穴７がヘリサート加工等により設けられている。ねじ穴７内には例えばアルミニウム等のナット７ａが嵌め込まれている。このナット７ａには、台金２を回転台（図示略）に固定する際に用いるボルトが捩じ込まれる。
【００１４】
また、図２に示すように、回転砥石１は防水性を有するコーティング部８を備える。コーティング部８は、台金２の表面に０．１ｍｍ〜１．０ｍｍの略均一な厚みを有した状態で設けられている。コーティング部８は、ポリ乳化樹脂等の生分解性樹脂が好ましいが、熱硬化性樹脂又は熱加塑性樹脂であってもよい。
【００１５】
台金２の全表面は、コーティング部８、砥粒層４、金属管６ａ及びナット７ａにより被覆される。故に、木製の台金２内部へのクーラントの染み込みが回避できるため台金２の腐食が抑制できる。このため、木製の台金２の耐久性が向上する。
【００１６】
以上説明したように、回転砥石１は、木製の台金２を備える。このため、回転砥石１が消耗等により使用に適さなくなった際に台金２が埋立処分により土中等に廃棄された場合、台金２は木製であるため土中で生分解される。故に、台金２の廃棄により生じる環境への影響が低減できる。また、台金２が部分的に腐食・破損等した場合、この腐食・破損箇所を含む板部材５を新たな板部材５に換えることによって、この破損箇所を容易に補修できる。また、台金２は複数の板部材５が積層されて成るため、一枚板によって台金２を作製する場合に比べて製造コストを低減できる。
【００１７】
また、台金２の表面にはコーティング部８が設けられている。このコーティング部８は、生分解性樹脂によって成るため、土中で微生物等により生分解される。故に、台金２をコーティング部８とともに土中等に廃棄しても、環境への影響を低減できる。また、コーティング部８が破損した場合、この破損箇所を除去した後に生分解性樹脂を新たに塗布することによって、この破損箇所を容易に補修できる。また、砥粒層４とともに台金２の表面を覆うコーティング部８によって木製の台金２内部へのクーラントの染み込みが回避できる。このため、木製の台金２の耐久性向上が図られる。
【００１８】
なお、本発明は、上述の実施形態に限らない。例えば、実施形態に係る回転砥石１は、図１に示すような台金２の端面に砥粒層４を備えた砥石であるが、本発明の砥石はこれに限らず、台金の外周に砥粒層を備えた砥石であってもよい。また、台金２は、複数の板部材５が積層されたものであるが、これに限らず、圧縮木材の一枚板によって構成された台金であってもよい。
【図面の簡単な説明】
【００１９】
【図１】実施形態に係る回転砥石の外観を表す斜視図である。
【図２】図１に示すＩ−Ｉ線に沿ってとられた回転砥石の断面図である。
【符号の説明】
【００２０】
１…回転砥石、２…台金、３…凹部、４…砥粒層、５…板部材、６…軸穴、６ａ…金属管、７…ねじ穴、７ａ…ナット、８…コーティング部。
【図１】
2006281410.tif 000003
【図２】
2006281410.tif 000004